(57)【要約】  【課題】  スイッチケースの厚さ方向のスペースを有効利用することができて、キースイッチの小型化を図る。  【解決手段】  ロック・アンロック作動手段Ｇが、電磁ソレノイド５９の可動プランジャ５９Ａと電源回路開閉用スイッチ５０のスイッチ操作体５１とを連結する連結ピース６０と、スライド部材６４と、ロック部材５８と、トラップドキーＴにより回動操作されるピースロック部材７３を有するトラップドキー機構７４とで構成してあり、このロック・アンロック作動手段Ｇを、電磁ソレノイド５９とモニタスイッチ９０との間に配置し、連結ピース６０とスライド部材６４とをキースイッチＡの厚さ方向に重ねて配置するようにした。【選択図】  図１０
2006228616.tif 000002
【特許請求の範囲】
【請求項１】
主スイッチと、操作キーの進入・後退に応じて作動して前記主スイッチを開閉作動する主スイッチ操作部と、前記主スイッチにほぼ並設した状態で取り付けた補助スイッチと、前記主スイッチ及び前記補助スイッチの閉動作状態の保持及びこの保持の解除を行うロック・アンロック作動手段と、外部から与えられるトリガによって動作して前記補助スイッチを操作する補助スイッチ駆動手段とを有するキースイッチであって、
前記ロック・アンロック作動手段が、前記補助スイッチ駆動手段と前記補助スイッチとの間に抜き差し可能な状態で配置してあることを特徴とするキースイッチ。
【請求項２】
前記ロック・アンロック作動手段は、前記主スイッチの閉動作状態を保持する移動方向であるロック方向及びこの保持を解除するアンロック方向に移動可能であって、このロック・アンロック方向に沿う横スライド部と前記ロック・アンロック方向に交叉する方向に沿う縦スライド部とを組み合わせたスライド部材と、前記補助スイッチ駆動手段の可動部を前記主スイッチのスイッチ操作体に連結し且つ前記スライド部材を作動させる連結手段と、前記スライド部材に連動して前記主スイッチの閉動作状態の保持及びこの保持の解除を行使するロック部材と、前記スライド部材を前記ロック・アンロック方向に移動操作する移動操作手段とで構成してあることを特徴とするキースイッチ。
【請求項３】
前記スライド部材が、前記横方向スライド部と前記縦方向スライド部を略Ｌ字形状に組み合わせ形成したスライド孔を有すると共に、前記連結手段が、前記可動部を前記スイッチ操作体に連結し且つ前記スライド孔に摺動可能に挿入させて前記スライド部材を作動させる前記突起部を有する連結部材であり、この連結部材を前記スライド部材に重ねることで、前記突起部を前記スライド孔に摺動可能に挿入するようにしたことを特徴とする請求項２に記載のキースイッチ。
【請求項４】
前記ロック・アンロック方向は、前記スイッチ操作体の移動方向に対して交叉する方向であって、この交叉方向に前記スライド部材は移動可能であり、前記連結部材の移動方向に交叉していることを特徴とする請求項３に記載のキースイッチ。
【請求項５】
前記補助スイッチ駆動手段は前記トリガにより励磁される電磁ソレノイドであり、前記可動部は前記電磁ソレノイドの可動プランジャであり、前記補助スイッチは、前記電磁ソレノイドの作動を確認するモニタスイッチであり、前記連結部材が、両端部に係合部を有し且つ前記突起部を有する連結ピースであって、前記一方の係合部を前記可動プランジャに係合すると共に、前記他方の係合部を前記スイッチ操作体に係合して前記可動プランジャを前記スイッチ操作体に連結するようにしたことを特徴とする請求項４に記載のキースイッチ。
【請求項６】
前記移動操作手段は、前記スライド部材にピースロック挿入凹部を設け、トラップドキーにより回動操作されるピースロック部材に挿入部を設けて、この挿入部を前記ピースロック挿入凹部に挿入することで構成してあり、前記トラップドキーの回動操作より前記スライド部材の移動を行うようにしたことを特徴とする請求項５に記載のキースイッチ。
【請求項７】
前記ロック・アンロック作動手段は、前記主スイッチの閉動作を保持する移動方向であるロック方向及びこの保持を解除するアンロック方向に、揺動支点を中心にして揺動可能であり且つスライド孔を有するスライド部材と、前記補助スイッチ駆動手段の可動部を前記主スイッチのスイッチ操作体に連結し且つ突起部を有する連結部材と、前記スライド部材に連動して前記主スイッチの閉動作の保持及びこの保持の解除を行使するロック部材と、前記補助スイッチの復帰ばねもしくは前記補助スイッチ駆動手段の復帰ばねとで構成してあり、前記連結部材を前記スライド部材に重ねることで、前記突起部を前記スライド孔に摺動可能に挿入するようにしたことを特徴とする請求項１に記載のキースイッチ。
【発明の詳細な説明】
【技術分野】
【０００１】
本発明は、例えば、産業機械が設置される部屋の出入口などの壁面に取り付けられ、その出入口の扉が開かれたときには、産業機械等への電源供給を停止する扉ロックスイッチ等に使用される安全スイッチとしてのキースイッチに関する。
【背景技術】
【０００２】
産業機械が設置された部屋や工場などの危険ゾーンでは、作業者が機械に巻き込まれて負傷するといったトラブルの発生を防止することを目的として、部屋や危険ゾーンの出入口の扉が完全に閉まっていないときには、機械の駆動をロックするシステムを設けることが要求される。
【０００３】
そのようなロックシステムとして安全スイッチであるキースイッチが提案されている。このキースイッチは、図４５及び図４６に示すように、危険ゾーンである部屋内に設置される産業機械に電気的に接続されるスイッチであり、スイッチ本体２００と、このスイッチ本体２００に並設された主ロック機構２１１及び補助ロック機構２１２から成るロック機構本体２１０とにより構成してある。
【０００４】
主ロック機構２１１は、周面に係止段部（図示せず）が形成され且つ操作キー２２０の進入・後退に応じて回動する駆動力ム１１０と、ロック位置またはアンロック位置に択一的に切り換わる切換部２５０と、この切換部２５０を切り換え操作するために切換部２５０に着脱自在に装着され切換部２５０のアンロック位置では切換部２５０から取り外し可能になる操作体２６０と、操作キー２２０が進入状態のときに、切換部２５０のロック位置への切り換えに連動して係止段部に係止し駆動力ム１１０を回動不能にして操作キー２２０の後退を阻止し、切換部２５０のアンロック位置への切り換えに連動して係止段部から脱離し駆動力ム１１０を回動可能にして操作キー２２０の後退を可能にするロック体２４０を有する操作部２０２とで構成してある。
【０００５】
また、補助ロック機構２１２は、切換部２５０がロック位置にある状態のときに外部から与えられるトリガによって動作する駆動部（電磁ソレノイド）２７０と、主回路の主スイッチ２０３に直列に接続された補助スイッチ２８０と、駆動部２７０の非動作時には切換部２５０をロック位置に保持して補助スイッチ２８０の閉作動状態を保持し、駆動部２７０の動作時には切換部２５０のアンロック位置への切り換えを可能にして補助スイッチ２８０を開作動にする作動体２９０とで構成してある。そして、補助ロック機構２１２の駆動部２７０が非動作状態で、主ロック機構２１１の切換部２５０がロック位置にあり、且つ操作キー２２０が進入状態にあることを条件に、主回路を閉路するようにしてある。
【０００６】
このような構成によると、例えば、扉が開放されて操作キー２２０が進入状態になく、作業者が産業機械の設置された危険ゾーンである部屋内に入っているにも拘わらず、誤って扉が閉まって操作キー２２０が進入状態になったとしても、補助ロック機構２１２の駆動部２７０を非動作状態にして主ロック機構２１１の切換部２５０をロック位置に切り換えない限り、主回路が開いた状態であり、産業機械に電源が供給されることはない。
【０００７】
従って、補助ロック機構２１２の駆動部２７０が非動作状態で、主ロック機構２１１の切換部２５０がロック位置にあり、かつ操作キー２２０が進入状態にあるときに限って主回路が閉路するために、作業者が危険ゾーンにいる状態で、扉の閉塞等により誤って産業機械に電源が供給されたり、作業者が危険ゾーンに閉じ込められたりすることを防止している。
【０００８】
上記したキースイッチにあっては、図４６に示すように、補助ロック機構２１２の駆動部２７０と、補助スイッチ２８０と、主ロック機構２１１の切換部２５０とは、この順序に一直線上にスイッチ本体２０１に配置してある。
【０００９】
また、主ロック機構２１１の切換部２５０は、操作体２６０が挿入される操作体挿入部２５１と、この操作体挿入部２５１に挿入された操作体２６０を回動することにより回転する第１カム２５２ａ及びこの第１カム２５２ａに連動する第２カム２５２ｂから成る操作カムと、操作カムに形成されたカム溝２５３と、このカム溝２５３に嵌挿した嵌挿ピン２５４と、付勢手段により操作キー２２０の後退方向に付勢され操作カムの回転に伴う嵌挿ピン２５３の動きに連動して付勢手段に抗してロック位置からアンロック位置に移動する移動体２５６とにより構成してある（特許文献１参照）。
【特許文献１】特開２０００−２０７９７９号公報
【発明の開示】
【発明が解決しようとする課題】
【００１０】
上記したキースイッチにおいては、補助ロック機構２１２の駆動部２７０と、補助スイッチ２８０と、主ロック機構２１１の切換部２５０とは、この順序に一直線上にスイッチ本体２０１に配置してあるために、スイッチ本体２０１を縦長にする必要があって、キースイッチの小型化を図ることができないという問題点があった。
【００１１】
また、主ロック機構２１１の切換部２５０は、操作体挿入部２５１に挿入された操作体２６０をロック方向またはアンロック方向に回動することにより回転する第１カム２５２ａ及び第２カム２５２ｂを備えており、これらが円板構成であるために、切換部２５０を大型化せざるを得ず、このこともキースイッチの小型化を妨げていた。
【００１２】
また、操作キー２２０が進入状態にないときには、ロック体２４０を拘束して切換部２５０のアンロック位置からロック位置への切り換えを阻止する拘束手段を剛体にする必要があり、この拘束手段としての移動体２５６、ロック体２４０に金属材料を使用しなければならないという問題点があった。
【００１３】
また、上記した補助ロック機構２１２を有する従来のキースイッチにあっては、切換部２５０の無いタイプにする場合、補助スイッチ２８０を別構成にする必要があって、切換部２５０の無いタイプとの間に互換性が無いものであった。
【００１４】
本発明は、上記の問題点に着目してなされたもので、その目的とするところは、小型化が可能になるキースイッチを提供することである。
【課題を解決するための手段】
【００１５】
上記の目的を達成するために、本発明に係るキースイッチは、主スイッチと、操作キーの進入・後退に応じて作動して前記主スイッチを開閉作動する主スイッチ操作部と、前記主スイッチにほぼ並設した状態で取り付けた補助スイッチと、前記主スイッチ及び前記補助スイッチの閉動作状態の保持及びこの保持の解除を行うロック・アンロック作動手段と、外部から与えられるトリガによって動作して前記補助スイッチを操作する補助スイッチ駆動手段とを有するキースイッチであって、前記ロック・アンロック作動手段が、前記補助スイッチ駆動手段と前記補助スイッチとの間に抜き差し可能な状態で配置してあることを特徴とする。
【００１６】
かかる構成により、ロック・アンロック作動手段は、補助スイッチ駆動手段と補助スイッチとの間に配置してあるために、スペースの有効利用になって、キースイッチの小型化に寄与することができる。
【００１７】
また、本発明に係るキースイッチは、上記した本発明に係るキースイッチにおいて、ロック・アンロック作動手段が、主スイッチの閉動作状態を保持する移動方向であるロック方向及びこの保持を解除するアンロック方向に移動可能であって、ロック・アンロック方向に沿う横スライド部とロック・アンロック方向に交叉する方向に沿う縦スライド部とを組み合わせたスライド部材と、補助スイッチ駆動手段の可動部を主スイッチのスイッチ操作体に連結し且つスライド部材を作動させる連結手段と、スライド部材に連動して主スイッチの閉動作状態の保持及び保持の解除を行使するロック部材と、スライド部材をロック・アンロック方向に移動操作する移動操作手段とで構成してあることを特徴とする。
【００１８】
かかる構成により、補助スイッチ駆動手段の非動作時であって、ロック・アンロック作動手段におけるスライド部材が横スライド部においてロック部材に対してアンロック方向に移動して、操作部に操作キーが進入することで主スイッチを閉作動する。この状態で、スライド部材をロック方向に移動させることで、補助スイッチが閉作動の状態で、ロック部材で主スイッチの閉作動状態を保持する。また、スライド部材をアンロック方向に移動させることで、ロック部材による主スイッチの閉作動状態の保持を解除すると共に、ロック部材が縦スライド部側に位置する。この状態で、補助スイッチ駆動手段を動作させることで、補助スイッチを開動作させるし、操作部から操作キーを引き抜くことで主スイッチを開作動させることができる。
【００１９】
上記したキースイッチの動作において、ロック・アンロック作動手段が、ロック・アンロック方向に沿う横スライド部とロック・アンロック方向に交叉する方向に沿う縦スライド部とを組み合わせたスライド部材を有して構成するために、連結手段に対してスライド部材が交叉して移動するようになって、キースイッチの厚さ方向に連結手段とスライド部材とを重ねて配置することが可能になり、スイッチケースの厚さ方向のスペースを有効利用することができて、キースイッチの小型化が可能になる。
【００２０】
また、本発明に係るキースイッチは、上記した本発明に係るキースイッチにおいて、スライド部材が、横方向スライド部と縦方向スライド部を略Ｌ字形状に組み合わせ形成したスライド孔を有すると共に、連結手段が、可動部を前記スイッチ操作体に連結し且つスライド孔に摺動可能に挿入させてスライド部材を作動させる突起部を有する連結部材であり、連結部材をスライド部材に重ねることで、突起部を前記スライド孔に摺動可能に挿入するようにしたことを特徴とする。
【００２１】
かかる構成により、キースイッチの厚さ方向に連結部材とスライド部材とを重ねて配置することにより、スイッチケースの厚さ方向のスペースを有効利用することができて、キースイッチの小型化が可能になる。
【００２２】
また、本発明に係るキースイッチは、上記した本発明に係るキースイッチにおいて、ロック・アンロック方向は、スイッチ操作体の移動方向に対して交叉する方向であって、この交叉方向にスライド部材は移動可能であり、連結部材の移動方向に交叉していることを特徴とする。
【００２３】
かかる構成により、キースイッチの厚さ方向に連結部材とスライド部材とを重ねて配置することにより、スイッチケースの厚さ方向のスペースを有効利用することができて、キースイッチの小型化が可能になる。
【００２４】
また、本発明に係るキースイッチは、上記した本発明に係るキースイッチにおいて、補助スイッチ駆動手段はトリガにより励磁される電磁ソレノイドであり、可動部は電磁ソレノイドの可動プランジャであり、補助スイッチは、電磁ソレノイドの作動を確認するモニタスイッチであり、連結部材が、両端部に係合部を有子且つ突起部を有する連結ピースであって、一方の係合部を可動プランジャに係合すると共に、他方の係合部をスイッチ操作体に係合して可動プランジャをスイッチ操作体に連結するようにしたことを特徴とする。
【００２５】
かかる構成により、電磁ソレノイドの非動作時であって、ロック・アンロック作動手段におけるスライド部材がアンロック方向に移動して、突起部がスライド孔の横スライド部に位置した状態で、操作部に操作キーが進入することで主スイッチを閉作動する。この状態で、スライド部材をロック方向に移動させることで、モニタスイッチが閉作動の状態で、ロック部材で主スイッチの閉作動状態を保持する。また、スライド部材をアンロック方向に移動させることで、ロック部材による主スイッチの閉作動状態の保持を解除すると共に、突起部がスライド孔の縦スライド部側に位置する。この状態で、電磁ソレノイドを動作させることで、モニタスイッチを開動作させるし、操作部から操作キーを引き抜くことで主スイッチを開作動させることができる。
【００２６】
上記したキースイッチの動作において、突起部がスライド孔の横スライド部及び縦スライド部を移動する構成であるために、この突起部を有する連結ピースに対してスライド部材は交叉して移動するようになって、キースイッチの厚さ方向に連結ピースとスライド部材とを重ねて配置することができ、スイッチケースの厚さ方向のスペースを有効利用することができて、キースイッチの小型化が可能になる。
【００２７】
しかも、ロック・アンロック作動手段が、連結ピースとスライド部材とロック部材との組み合わせで構成してあり、連結ピースには突起部を設け、スライド部材には突起部が挿入されるスライド孔を設ける構成であって、構成が簡単で、しかも強度をあまり必要としないで済むために、プラスチック製品での製作で事足りてコストが安価になる。
【００２８】
また、本発明に係るキースイッチは、上記した本発明に係るキースイッチにおいて、移動操作手段は、スライド部材にピースロック挿入凹部を設け、トラップドキーにより回動操作されるピースロック部材に挿入部を設けて、この挿入部をピースロック挿入凹部に挿入することで構成してあり、トラップドキーの回動操作よりスライド部材の移動を行うようにしたことを特徴とする。
【００２９】
かかる構成により、トラップドキーによりピースロック部材を回動操作することで、ロック片部及びピースロック挿入凹部を介してスライドの移動を行うことができる。
【００３０】
また、本発明に係るキースイッチは、上記した本発明に係るキースイッチにおいて、ロック・アンロック作動手段が、主スイッチの閉動作を保持する移動方向であるロック方向及びこの保持を解除するアンロック方向に、揺動支点を中心にして揺動可能であり且つスライド孔を有するスライド部材と、補助スイッチ駆動手段の可動部を主スイッチのスイッチ操作体に連結し且つ突起部を有する連結部材と、スライド部材に連動して主スイッチの閉動作の保持及びこの保持の解除を行使するロック部材と、補助スイッチの復帰ばねもしくは補助スイッチ駆動手段の復帰ばねとで構成してあり、連結部材をスライド部材に重ねることで、突起部をスライド孔に摺動可能に挿入するようにしたことを特徴とする。
【００３１】
かかる構成により、スライド部材はレバータイプであり、キースイッチの厚さ方向に連結部材とスライド部材とを重ねて配置することで、スイッチケースの厚さ方向のスペースを有効利用することができて、キースイッチの小型化が可能になる。
【００３２】
そして、例えば、補助スイッチの復帰ばねを利用してメカニカルロックタイプのキースイッチを構成することができるし、補助スイッチから復帰ばねを除くと共に、補助スイッチ駆動手段に復帰ばねを追加することで、ソレノイドロックタイプのキースイッチを構成することができる。
【００３３】
なお、メカニカルロックタイプのキースイッチの場合には、主スイッチ操作部に操作キーが進入することで主スイッチを閉作動した状態で、補助スイッチ駆動手段の非動作時では、復帰ばねのばね力で連結部材及び突起部を介してスライド部材が押し上げられて、このスライド部材がロック方向に揺動し、補助スイッチが閉作動の状態で、ロック部材で主スイッチの閉作動状態を保持する。そして、補助スイッチ駆動手段を動作させることで、スライド部材をアンロック方向に移動させ、ロック部材による主スイッチの閉作動状態の保持を解除すると共に、補助スイッチを開動作させ、操作部から操作キーを引き抜くことで主スイッチを開作動させる。
【００３４】
また、ソレノイドロックタイプのキースイッチの場合には、主スイッチ操作部に操作キーが進入することで主スイッチを閉作動した状態で、補助スイッチ駆動手段の動作時では、復帰ばねのばね力に抗して連結部材及び突起部を介してスライド部材を押し上げて、このスライド部材をロック方向に揺動させ、補助スイッチが閉作動の状態で、ロック部材で主スイッチの閉作動状態を保持する。そして、補助スイッチ駆動手段を非動作させることで、復帰ばねのばね力でスライド部材をアンロック方向に移動させ、ロック部材による主スイッチの閉作動状態の保持を解除すると共に、補助スイッチを開動作させ、操作部から操作キーを引き抜くことで主スイッチを開作動させる。
【発明の効果】
【００３５】
本発明に係るキースイッチによれば、ロック・アンロック作動手段は、補助スイッチ駆動手段と補助スイッチとの間に配置してあるために、スペースの有効利用になって、キースイッチの小型化に寄与することができる。
【００３６】
また、本発明に係るキースイッチによれば、ロック・アンロック作動手段において、キースイッチの厚さ方向に連結部材とスライド部材とを重ねて配置することにより、スイッチケースの厚さ方向のスペースを有効利用することができて、キースイッチの小型化が可能になる。
【発明を実施するための最良の形態】
【００３７】
以下、図面によって本発明の実施の形態について詳細に説明する。
【００３８】
図１は本発明に係るキースイッチの、操作キーを挿入した状態を正面から見た斜視図、図２は同キースイッチを背面から見た斜視図、図３は本発明に係るキースイッチにおいて、蓋体及びヘッドカバーを外した状態の正面図、図４は図３のＤ−Ｄ線に沿う断面図である。なお、説明上、操作キーＢの挿抜方向を前後方向Ｘとし、この前後方向Ｘを元に上下方向Ｙ、左右方向Ｚを図示のように設定する。
【００３９】
本発明の実施の形態のキースイッチＡはスイッチケース１を備えており、このスイッチケース１は、図１及び図２に示すように、その前面が解放されたボックス形状のケース本体１Ａと、このケース本体１Ａの前面開口部１Ｃを覆う蓋体１Ｂと、ヘッドカバー３とで構成してある。
【００４０】
そして、図５に示すように、ケース本体１Ａの上部の片側（右側）にはヘッドユニット装着部２が形成してある。このヘッドユニット装着部２には、主スイッチ操作部であるヘッドユニットＦが装着してあり、ヘッドユニット装着部２にヘッドカバー３を取付けることで、ヘッドユニットＦがヘッドカバー３で覆われようになる。
【００４１】
ヘッドカバー３は、図１及び図２に示すように、その前面部３ａ（及び頂面部３ｄ）には操作キーＢを挿入するキー挿入口８（９）が形成してある。
【００４２】
ヘッドユニットＦは、図６に示すように、操作キーＢの挿抜に応じて支軸（カムシャフト４５）回りに回動するカム体１０と、このカム体１０がカムシャフト４５により回転可能に取付けられるベース部材１１と、カム体１０を操作キー引抜き正常位置（初期回動位置）に保持する一対のヘッドロック部材１２と、これらのヘッドロック部材１２をカム体１０にそれぞれ押圧するように付勢する一対のばね部材１２Ａと、ヘッドプランジャ４０とで構成してある。
【００４３】
カム体１０は、図８及び図９に示すように、その中央部に支承孔１０Ａを有しており、また、その周部に、前後の凹部１３、１４と、これらの凹部１３、１４に挟まれた凸形状のキー係合部１５と、このキー係合部１５に隣り合うキー係合部１５Ａと、側面ほぼＵ字形状のカム部１６とを有している。
【００４４】
そして、前方の凹部１３では、その後辺部が受動用受圧部１３ａであり、且つ前辺部が復帰用受圧部１３ｂである。同様に、後方の凹部１４では、その後辺部が受動用受圧部１４ａであり、且つ前辺部が復帰用受圧部１４ｂである。また、図６及び図７に示すように、キー係合部１５の頂部には、左右のヘッドロック溝部１７が形成してある。
【００４５】
また、カム部１６は、図８及び図９に示すように、カム体１０の周部の下半分（キー係合部１５とは反対側）に形成されたカム溝部１８を有しており、このカム溝部１８の底面部が、側面ほぼＵ字形状のカム面１９にしてある。そして、カム溝部１８の両側壁部１８ａ、１８ｂにはカム面１９に倣うプランジャガイド孔部１６Ａが形成してある。
【００４６】
ヘッドプランジャ４０は、図８及び図９に示すように、その上端部に摺動ピン４１を備えている。また、ヘッドプランジャ４０の上端部にはカム摺接部４２が形成してあり、ヘッドプランジャ４０の下部は、このヘッドプランジャ４０の大径軸部４０Ａより小径な小径軸部４３にしてあり、この小径軸部４３の端部（ヘッドプランジャ４０の下端部）には係合部４４が設けてある。そして、大径軸部４０Ａと小径軸部４３との段部４３Ａは、後述するロック部材５８が係合する部位である。
【００４７】
そして、ヘッドプランジャ４０は、図８に示すように、その上端部の摺動ピン４１をカム体１０のプランジャガイド孔部１６Ａに挿入してカム体１０に連結してあり、ヘッドプランジャ４０の上端部のカム摺接部４２が図９に示すようにカム体１０のカム面１９に摺接するようにしてある。
【００４８】
そして、図６及び図７に示すように、カム体１０の支承孔１０Ａ(図８を参照)とベース部材１１の軸支承部２２の支承孔部２３とにカムシャフト４５が挿入してあって、このカムシャフト４５を中心にカム体１０が回転するようにしてある。そして、図６に示すように、ベース部材１１の両ヘッドロック部材取付部２５(図７参照)にはヘッドロック部材１２が左右方向Ｙに移動可能に取付けてある。
【００４９】
そして、上記のように組み立てられたヘッドユニットＦはヘッドユニット装着部２に装着してある。この場合、左右のヘッドロック部材１２の外端部にばね部材１２Ａを配置し、これらのばね部材１２Ａを圧縮した状態で、ヘッドユニット装着部２に装着してあり、ヘッドロック部材１２はばね部材１２Ａの反発力によりベース部材１１の中心側に押されている。
【００５０】
そして、図５に示すように、ヘッドユニット装着部２の前、後面部２ａ、２ｂの一対のピン孔部６とベース部材１１のピン孔部３１とに固定ピン５５が挿入してある。
【００５１】
そして、ヘッドユニット装着部２には、図１及び図２に示すように、その前後を合わせてヘッドカバー３が被せてあり、ヘッドカバー３はヘッドユニット装着部２に固定してある。したがって、キー挿入口８はキースイッチＡの前面部に、キー挿入口９は上面部にそれぞれ位置することになる。
【００５２】
また、本体ケース１Ａ内には、図３及び図４に示すように、工作機械の主スイッチとしての電源回路開閉用スイッチ５０が設けてある。この電源回路開閉用スイッチ５０は、スイッチ操作体５１と、このスイッチ操作体５１の作動で開閉作動を行う開閉接点部５２ａ、５２ｂ、５２ｃを備えている。そして、図９に示すように、スイッチ操作体５１の上端部の係合溝部５１ａには、ヘッドプランジャ４０の下端部の係合部４４が係合している。
【００５３】
また、本体ケース１Ａには、図３に示す電源回路開閉用スイッチ５０に並べて補助スイッチとしてのロック確認用のモニタスイッチ９０が配置してあり、このモニタスイッチ９０は、スイッチ操作体９１と、このスイッチ操作体９１の作動で開閉作動を行う開閉接点部９０ａ、９０ｂ、９０ｃと復帰ばね（図示せず）とを備えている。
【００５４】
また、本体ケース１Ａには、ヘッドユニットＦに並べて、モニタスイッチ９０を作動する補助スイッチ駆動手段としての電磁ソレノイド５９が配置してあって、電磁ソレノイド５９の軸線イとモニタスイッチ９０の軸線ロとは、図３において上下方向で一致させてあって、これらの軸線方向が電磁ソレノイド５９の可動プランジャ５９Ａの作動方向（電源回路開閉用スイッチ５０のスイッチ操作体５１の作動方向）になっている。そして、電磁ソレノイド５９の可動プランジャ５９Ａの先端部には係合部５９Ｂが設けてあり、モニタスイッチ９０のスイッチ操作体９１の先端部には係合部９１Ｂが設けてある。そして、モニタスイッチ９０は電源回路開閉用スイッチ５０に直列に接続してあって、電源回路（図示せず）に接続してある。
【００５５】
また、本体ケース１Ａには、電磁ソレノイド５９とモニタスイッチ９０との間に位置させてロック・アンロック作動手段Ｇが配置してあり、このロック・アンロック作動手段Ｇは、図３に示すように、電磁ソレノイド５９の可動プランジャ５９Ａと電源回路開閉用スイッチ５０のスイッチ操作体５１とを連結する連結手段を構成する連結部材である連結ピース６０と、スライド部材６４と、ロック部材５８と、図１９、図２０に示すトラップドキーＴにより回動操作されるピースロック部材７３を有する移動操作手段であるトラップドキー機構７４とで大略構成してある。
【００５６】
連結ピース６０は、図１０乃至図１３に示すように、その上部にプランジャ係合溝部６１を、下部にスイッチ操作体係合溝部６２をそれぞれ有しており、また、連結ピース６０には、プランジャ係合溝部６１の背面側に位置させて連結ピース６０の軸線に対して直交する突起部６３が突設してある。
【００５７】
また、スライド部材６４は、図１４及び図１５に示すように、その左側にスライド孔６５を、中間部にピースロック挿入凹部６６を、さらに、その右側にピン挿入孔部６７をそれぞれ有しており、スライド孔６５は、正面Ｌ字形状を呈していて、図１４において左右方向（後述するロック・アンロック方向ハ）に沿う横スライド部６５ａと、この横スライド部６５ａに直交する縦スライド部６５ｂとで構成してある。また、スライド部材６４の裏側にはスライド孔部６５側に位置させてガイド用凹部６４Ａが形成してある。
【００５８】
ロック部材５８は、図１６乃至図１８に示すように、その右側部に、図９に示すヘッドプランジャ４０の小径軸部４３が挿入可能なプランジャ小径軸挿入部６９Ａと、ヘッドプランジャ４０の大径軸部４０Ａが挿入可能なプランジャ大径軸挿入部６９Ｂとからなるプランジャ挿入部６９が形成してあり、また、ロック部材５８には、プランジャ挿入部６９とは反対側に、直角に屈曲するアーム部７０が突設してあり、このアーム部７０の先端部には挿入ピン部７１が突設してある。
【００５９】
また、本体ケース１Ａには、図３に示すように、電源回路開閉用スイッチ５０とモニタスイッチ９０との間に位置させて、揺動支点となる支点ピン部１Ｇが配置してある。
【００６０】
そして、図３に示すように、スライド部材６４は、電源回路開閉用スイッチ５０とモニタスイッチ９０との間に位置していて、可動プランジャ５９Ａの作動方向（電源回路開閉用スイッチ５０のスイッチ操作体５１の作動方向）とは直交する方向であるロック・アンロック方向ハに向けて摺動可能であり、ガイド用凹部６４Ａが、本体ケース１Ａに設けたガイド部（図示せず）に摺接している。
【００６１】
また、連結ピース６０は、そのプランジャ係合溝部６１に、電磁ソレノイド５９の可動プランジャ５９Ａの係合部５９Ｂを係脱可能に係合しており、また、図１０で示すスイッチ操作体係合溝部６２に、モニタスイッチ９０のスイッチ操作体９１の係合部９１Ｂを係脱可能に係合して可動プランジャ５９Ａにスイッチ操作体９１を連結している。そして、図１０で示す連結ピース６０の突起部６３がスライド部材６４のスライド孔部６５に挿入してある。したがって、スライド部材６４に対して連結ピース６０は直交し、且つ重なり合っている。
【００６２】
また、図３に示すように、スライド部材６４に並べてロック部材５８が配置してあって、このロック部材５８のアーム部７０の先端部の挿入ピン部７１がスライド部材６４のピン挿入孔部６７に挿入してある。そして、そのプランジャ挿入部６９内にヘッドプランジャ４０が挿入してある。
【００６３】
また、図１９に示すように、トラップドキー機構７４は、ホルダ７５と、このホルダ７５に回転可能に保持された保持軸７６と、この保持軸７６の端部にねじ部材（図示せず）で固着されたピースロック部材７３とを有しており、このピースロック部材７３には挿入部７３Ａが設けてある。また、ホルダ７５は、中心部に円孔７４Ｂを形成した頭部７４Ａを有する。
【００６４】
そして、保持軸７６の先端部７６Ａは、ホルダ７５の円孔７４Ｂ内に位置して、保持軸７６の先端部７６Ａと円孔７４Ｂとの間には、トラップドキーＴが挿入される円環形状のキー挿入部７７が形成してあり、保持軸７６の先端部７６Ａの周部に、トラップドキーＴの係合ピン７８が係脱可能に係合する係止溝部７８を形成してある。そして、図１に示すように、トラップドキー機構７４は、ケース本体１Ａの前面開口部１Ｃを覆う蓋体１Ｂに装着してある。
【００６５】
そして、ケース本体１Ａの前面開口部１Ｃにはスイッチカバー（図示せず）が装着してあり、このスイッチカバーがロック部材５８を抑えていて、ロック部材５８の飛び出しを防止している。また、ケース本体１Ａには、スイッチカバーに重ねて蓋体１Ｂが装着してあって、トラップドキー機構７４のピースロック部材７３がスイッチカバーに設けた開口部（図示せず）を貫通していて、ピースロック部材７３の挿入部７３Ａがスライド部材６４のピースロック挿入凹部６６に挿入してある。
【００６６】
操作キーＢは、図４４に示されるように二つに分岐した分岐部８０と、これらの分岐部８０を連結する連結部８１を有すると共に、操作キーＢをキー挿入口８に挿入した際に、カム体１０のカム外形の一部が係合する矩形の係合孔８２を有している。
【００６７】
次に、以上の構成を有するキースイッチＡの動作を、当該キースイッチＡを、工作機械を外囲した保護フェンスの扉における安全スイッチとして使用した場合について、図６、図８、図９、図１４、図２０乃至図３１に基づいて説明する。なお、扉には操作キーＢが取付けられ、保護フェンスの支柱にはキースイッチＡが取付けられる。
【００６８】
先ず、扉を開放している状態においては、キースイッチＡから操作キーＢは引き抜かれており、キースイッチＡにおいては、図６に示すように、カム体１０のキー係合部１５のヘッドロック溝部１７に、ばね部材１２Ａの付勢力によりヘッドロック部材１２のカムロック部３４が係脱可能に係合していて、カム体１０が操作キー引抜き正常位置に保持されている。
【００６９】
この状態では、図８及び図９に示すように、ヘッドプランジャ４０のカム摺接部４２がカム面１９の平坦部１９ａに接していて、ヘッドプランジャ４０及びスイッチ操作体５１の上方への移動が制限されている。
【００７０】
この場合、図２０に示すように、トラップドキー機構７４において、キー挿入部７７にはトラップドキーＴが挿入されておらず、このために、ピースロック部材７３がアンロック位置にあって、このピースロック部材７３の挿入部７３Ａが、図２０において左上方向にあり、この挿入部７３Ａが挿入されたスライド部材６４は、図２０においてアンロック方向（左方向）に移動していて、図１４に仮想線で示すように、連結ピース６０の突起部６３がスライド部材６４のスライド孔６５の横スライド部６５ａの右端に位置している。このために、モニタスイッチ９０においては、連結ピース６０に連結されたスイッチ操作体９１が、復帰ばねのばね力に抗して押し下げられていて、開作動状態になっている。
【００７１】
また、図２０に示すように、電源回路開閉用スイッチ５０は開作動状態であり、電源回路が遮断されている。したがって、扉の開放状態においては、工作機械等が駆動されることがない。
【００７２】
また、スライド部材６４の左方向への移動により連結ピース６０は、図４において上下方向には移動できない状態であり、また、ロック部材５８のアンロック方向（左方向）の移動により、このロック部材５８のプランジャ挿入部７０におけるプランジャ大径軸挿入部６９Ｂ内にヘッドプランジャ４０の大径軸部４０Ａが挿入してあり、ロック部材５８は段部４３Ａに衝合していない。
【００７３】
次に扉を閉じると、操作キーＢがキー挿入口８に挿入されることになり、この操作キーＢの挿入によって、この操作キーＢの分岐部８０の先端がヘッドロック部材１２の内面部に当接して、両ヘッドロック部材１２がばね部材１２Ａのばね力に抗して移動して、ヘッドロック部材１２のカムロック部３４がカム体１０のヘッドロック溝部１７より外れてロックが解除されカム体１０が回動可能になる。
【００７４】
操作キーＢの更なる押し込みにより、この操作キーＢの分岐部８０を連結する連結部８１がカム体１０の凹部１３の受動用受圧部１３ａを押すことで、カム体１０が回動し、このカム体１０が、摺動ピン４１を介してヘッドプランジャ４０を持ち上げ、スイッチ操作体５１を上方へ移動させる。
【００７５】
スイッチ操作体５１の上方への移動により、図２２及び図２３に示すように、電源回路開閉用スイッチ５０が閉作動状態になる。また、上記したように、ヘッドプランジャ４０が持ち上げられることで、ヘッドプランジャ４０の段部４３Ａがロック部材５８の上面より上になる。
【００７６】
この状態で、図２４及び図２５に示すように、キー挿入部７７にトラップドキーＴを挿入して押し込み、このトラップドキーＴを、図２４において時計回り方向に回転し、ピースロック部材７３をロック位置に移動させることで、ピースロック部材７３を回転させて挿入部７３Ａを介してスライド部材６４を、図２４においてロック方向（右方向）に移動する。このスライド部材６４のロック方向（右方向）への移動により、図１４において連結ピース６０の突起部６３がスライド部材６４のスライド孔６５の左端に位置して、連結ピース６０は、図１４において上下方向に移動できる状態になる。
【００７７】
このために、モニタスイッチ９０においては、連結ピース６０に連結されたスイッチ操作体９１が、復帰ばねのばね力で押し上げられて、閉作動状態になると共に、スライド部材６４に連動してロック部材５８はロック方向（右方向）に移動されて、このロック部材５８のプランジャ挿入部７０におけるプランジャ小径軸挿入部６９Ａ内にヘッドプランジャ４０の小径軸部４３が挿入され、ロック部材５８が段部４３Ａに衝合してヘッドプランジャ４０がロックされる。このために、カム体１０の回動が阻止され、スイッチ操作体５１の下方への移動が規制される。
【００７８】
このように、ヘッドプランジャ４０をロックしたロック状態においては、操作キーＢを引き抜こうとしても、スイッチ操作体５１及びヘッドプランジャ４０が移動できないので、カム体１０が回動することができず、カム体１０に係合している操作キーＢを引き抜くことができず、扉を開放することができない。すなわち、ロックがかかった状態になるし、電源回路開閉用スイッチ５０が閉作動状態になると共に、モニタスイッチ９０も閉作動状態になって、工作機械等の電源回路がオンして工作機械が駆動可能状態になる。
【００７９】
一方、作業時に、工作機械の扉を開ける際には、先ず、外部の操作部で機械停止操作がなされ、機械が作動停止したことの信号が工作機械に付設される回転検出器から検出され、図２６及び図２７に示すように、電磁ソレノイド５９に通電される。この電磁ソレノイド５９への通電により可動プランジャ５９Ａが下降して連結ピース６０を下げる。このために、連結ピース６０の突起部６３がスライド部材６４のスライド孔６５の縦スライド部６５ｂから外れるためにスライド部材６４のロック・アンロック方向（左右方向）ハの移動が可能になるし、モニタスイッチ９０においては、連結ピース６０に連結されたスイッチ操作体９１が、復帰ばねのばね力に抗して押し下げられていて、開作動状態になって電源回路が遮断され工作機械が停止状態になる。
【００８０】
次に、トラップドキーＴを、図２８において反時計回り方向に回転し、ピースロック部材７３をアンロック位置に回転させることで、挿入部７３Ａを介してスライド部材６４を、図２８においてアンロック方向に移動する。このスライド部材６４のアンロック方向への移動により、このロック部材５８のプランジャ挿入部７０におけるプランジャ小径軸挿入部６９Ａ内からヘッドプランジャ４０の小径軸部４３が外れて、ロック部材５８の段部４３Ａへの衝合が解除されてヘッドプランジャ４０のロックが解除される。この状態で、キー挿入部７７からトラップドキーＴを引き抜く。
【００８１】
工作機械の扉を開けるべく扉を引くと、操作キーＢの連結部８１がカム体１０の凹部１３の復帰用受圧部１３ｂに引っ掛かり、カム体１０が反時計回り方向に回動する。このために、カム部１６のカム面１９がヘッドプランジャ４０の上端のカム摺接部４２に摺動することでヘッドプランジャ４０が押し込まれる。したがって、スイッチ操作体５１が下方へ移動し、図３０及び図３１に示すように、電源回路開閉用スイッチ５０が開作動状態の状態になる。
【００８２】
扉が開放されて、操作キーＢが引き抜かれると、キースイッチＡにおいては、カム体１０のヘッドロック溝部１７に、ばね部材１２Ａの付勢力によりヘッドロック部材１２のカムロック部３４が係脱可能に係合して、カム体１０が操作キー引抜き正常位置に保持される。
【００８３】
このように、上記したキースイッチＡは、電磁ソレノイド５９が励磁解除（非動作）状態で、ロック・アンロック作動手段Ｇによりロック状態にあり、かつ操作キーＢが進入状態にあるときに限って主回路である電源回路が閉路するのである。
【００８４】
そのため、扉が開いて操作キーＢが進入状態にないときに、作業者が部屋内に入っているにも拘わらず、誤って扉が閉まって操作キーＢが進入状態になったとしても、そのときにトラップドキーＴを取り外していれば、トラップドキーＴを再びキー挿入部７７に挿入し、電磁ソレノイド５９を励磁解除（非動作）してトラップドキーＴをロック方向に回動しない限りは、主回路が閉路して産業機械に電源が供給されることはない。
【００８５】
また、トラップドキーＴは取り外していればアンロック位置であり、ロック部材５８が解放状態であるため、扉が閉じたとしてもロック状態（扉が開かない状態）にならず、再び扉を開くことができ、作業者が部屋内に閉じこめられることを防止できる。
【００８６】
上記したように、本発明の実施例によれば、ロック・アンロック作動手段Ｇは、電磁ソレノイド５９とモニタスイッチ９０との間に配置してあるために、スペースの有効利用になって、キースイッチＡの小型化に寄与することができる。
【００８７】
また、本発明の実施例によれば、キースイッチＡの厚さ方向に連結ピース６０とスライド部材６４とを重ねて配置することにより、スイッチケース１の厚さ方向のスペースを有効利用することができて、キースイッチＡの小型化が可能になる。
【００８８】
しかも、ロック・アンロック作動手段Ｇが、連結ピース６０とスライド部材６４とロック部材５８との組み合わせで構成してあり、連結ピース６０には突起部６３を設け、スライド部材６４には突起部６３が挿入されるスライド孔６５を設ける構成であって、構成が簡単で、しかも強度をあまり必要としないですむために、プラスチック製品での製作で事足りコストが安価になる。
【００８９】
また、本発明のキースイッチＡは、メカニカルロックタイプのキースイッチＡ−１及びソレノイドロックタイプのキースイッチＡ−２と互換性を有している。
【００９０】
本発明のキースイッチＡをメカニカルロックタイプのキースイッチＡ−１にする場合には、電磁ソレノイド５９とモニタスイッチ９０をそのまま使用し、トラップドキー機構７４を除き、上記したブロックタイプのスライド部材６４に替えてレバータイプのスライド部材１００を用いることにより行われる。他の構成は、上記した本発明の実施例における構成と同じであるために、同じ符号を付して説明を省略する。
【００９１】
すなわち、このスライド部材１００は、図３３乃至図３５に示すように、レバー部１０１の先端部にスライド部１０２を一体に形成し、このスライド部１０２は、その左側にスライド孔１０３を、その右側にピン挿入孔部１０４をそれぞれ有しており、また、スライド部１０２の裏側にはガイド用凹部１０４が形成してある。また、レバー部１０１の基端部にはピン挿入孔部１０５が設けてある。
【００９２】
そして、図３６に示すように、スライド部材１００は、そのレバー部１０１のピン挿入孔部１０５に本体ケース１Ａに設けられた支点ピン部１Ｇを挿入し、ガイド用凹部１０４にガイド部（図示せず）に摺接させて本体ケース１Ａに取付けてある。
【００９３】
また、図３２及び図３６に示すように、電磁ソレノイド５９の可動プランジャ５９Ａとモニタスイッチ５０のスイッチ操作体５１とを連結した連結ピース６０の突起部６３がスライド部１０２のスライド孔１０３に挿入してある。したがって、スライド部１０２に対して連結ピース６０は直交し且つ重なり合っている。また、図３２及び図３６に示すように、ロック部材５８の挿入ピン部７２がスライド部１０２のピン挿入孔部１０４に挿入してある。
【００９４】
したがって、図３６及び図３７に示すように、主スイッチ操作部であるヘッドユニットＦに操作キーＢが進入することでカム体１０が回転し、このカム体１０の回転に連動してヘッドプランジャ４０を介して電源回路開閉用スイッチ５０を閉作動した状態で、且つ電磁ソレノイド５９が非励磁である場合には、モニタスイッチ９０が内蔵する復帰ばねのばね力より、このモニタスイッチ９０のスイッチ操作体９１が押し上げられてモニタスイッチ９０が閉作動し、この状態では、連結ピース６０が、図３６において上方向に移動して突起部６３がスライド部１０２を押し上げる。このために、スライド部材１００は、本体ケース１Ａの揺動支点ピン部１Ｇを支点として、図３６において時計回り方向に揺動してロック部材５８をロック方向に押し込み、このロック部材５８のプランジャ挿入部７０におけるプランジャ小径軸挿入部６９Ａ内にヘッドプランジャ４０の小径軸部４３が挿入し、ロック部材５８が段部４３Ａに衝合してロックを行う。
【００９５】
この状態から、図３８及び図３９に示すように、電磁ソレノイド５９を励磁することにより、復帰ばねのばね力に抗して連結ピース６０を介してスイッチ操作体９１を押し下げて、モニタスイッチ５９を開作動し、この状態では、連結ピース６０を図３８において下方向に移動させて突起部６３でスライド部１０２を押し下げる。このために、スライド部材１００は、本体ケース１Ａの支点ピン部１Ｇを揺動支点として、図３８において反時計回り方向に揺動してロック部材５８をアンロック方向に移動させ、このロック部材５８のプランジャ小径軸挿入部６９Ａをヘッドプランジャ４０の小径軸部４３より外し、ロック部材５８の段部４３Ａへの衝合を解除してアンロックを行う。そして、ヘッドユニットＦから操作キーを抜き出すことでカム体１０が逆回転し、ヘッドプランジャ４０を引き上げて電源回路開閉用スイッチ５０を開作動する。
【００９６】
本発明のキースイッチＡをソレノイドロックタイプのキースイッチＡ−２にする場合には、モニタスイッチ９０の復帰ばね（図示せず）を除き、電磁ソレノイド５９に復帰ばね（図示せず）に付加し、トラップドキー機構７４を無くし、上記したブロックタイプのスライド部材６４に替えてレバータイプのスライド部材１００を用いることにより行われる。他の構成は、上記した本発明の実施例における構成と同じであるために、同じ符号を付して説明を省略する。
【００９７】
すなわち、このスライド部材１００は、上記したメカニカルロックタイプのキースイッチの場合と同様にスイッチ本体１Ａに組み込まれる。また、連結ピース６０の突起部６３がスライド部１０２のスライド孔１０３に挿入してある。したがって、スライド部１０２に対して連結ピース６０は直交し、且つ重なり合っている。また、ロック部材５８の挿入ピン部７２がスライド部１０２のピン挿入孔部１０４に挿入してある。
【００９８】
したがって、図４０及び図４１に示すように、電磁ソレノイド５９が非励磁の場合、この電磁ソレノイド５９が内蔵する復帰ばねのばね力で連結ピース６０を介してスイッチ操作体９１を押し下げて、モニタスイッチ９０を開作動させており、この状態では、連結ピース６０を突起部６３でスライド部１０２を押し下げる。このために、スライド部材１００は、本体ケース１Ａの支点ピン部１Ｇを揺動支点として、図４０において反時計回り方向に揺動してロック部材５８をアンロック方向に移動させ、このロック部材５８のプランジャ小径軸挿入部６９Ａをヘッドプランジャ４０の小径軸部４３より外し、ロック部材５８の段部４３Ａへの衝合を解除してアンロックが行われている。
【００９９】
この状態から、ヘッドユニットＦに操作キーＢが進入することでカム体１０が回転し、このカム体１０の回転に連動してヘッドプランジャ４０を介して電源回路開閉用スイッチ５０を閉作動する。そして、電磁ソレノイド５９が励磁されると、電磁ソレノイド５９が内蔵する復帰ばねのばね力に抗してモニタスイッチ９０のスイッチ操作体９１が押し上げられてモニタスイッチ９０が閉作動し、この状態では、連結ピース６０が、図４２において上方向に移動して突起部６３がスライド部１０２を押し上げる。このために、スライド部材１００は、本体ケース１Ａの支点ピン部１Ｇを揺動支点として、図４２において時計回り方向に揺動してロック部材５８をロック方向に押し込み、このロック部材５８のプランジャ挿入部７０におけるプランジャ小径軸挿入部６９Ａ内にヘッドプランジャ４０の小径軸部４３が挿入し、ロック部材５８が段部４３Ａに衝合してロックを行う。
【産業上の利用可能性】
【０１００】
本発明に係るキースイッチによれば、ロック・アンロック作動手段は、補助スイッチ駆動手段と補助スイッチとの間に配置してあるために、スペースの有効利用になって、キースイッチの小型化に寄与することができるし、また、ロック・アンロック作動手段において、キースイッチの厚さ方向に連結部材とスライド部材とを重ねて配置することにより、スイッチケースの厚さ方向のスペースを有効利用することができて、キースイッチの小型化が可能になるという効果を有しており、扉ロックスイッチ等に使用される安全スイッチ等に有用である。
【図面の簡単な説明】
【０１０１】
【図１】本発明に係るキースイッチの、操作キーを挿入した状態を正面から見た斜視図である。
【図２】同キースイッチを背面から見た斜視図である。
【図３】本発明に係るキースイッチにおいて、蓋体及びヘッドカバーを外した状態の正面図である。
【図４】図３のＤ−Ｄ線に沿う断面図である。
【図５】本発明に係るキースイッチのヘッドユニット装着部の斜視図である。
【図６】ヘッドユニットを正面上部から見た斜視図である。
【図７】同ヘッドユニットにおいて、ヘッドロック部材及びばね部材を除いた状態の斜視図である。
【図８】カム体にヘッドプランジャを連結した状態の斜視図である。
【図９】ヘッドユニットにおけるカム体と電源回路開閉用スイッチとの連結状態を示す斜視図である。
【図１０】本発明に係るキースイッチにおけるロック・アンロック作動手段の斜視図である。
【図１１】同ロック・アンロック作動手段における連結ピースの平面図である。
【図１２】同連結ピースの側面図である。
【図１３】図１２のＥ方向からの矢視図である。
【図１４】同ロック・アンロック作動手段におけるスライド部材の正面図である。
【図１５】図１４のＨ方向からの矢視図である。
【図１６】同ロック・アンロック作動手段におけるロック部材の平面図である。
【図１７】図１６のＩ方向からの矢視図である。
【図１８】図１６のＪ方向からの矢視図である。
【図１９】トラップドキー機構の斜視図である。
【図２０】本発明に係るキースイッチにおいて、操作キー抜き、電磁ソレノイド非励磁、トラップドキー抜きの状態を示す作動説明図である。
【図２１】図２０のＫ−Ｋ線に沿う断面図である。
【図２２】本発明に係るキースイッチにおいて、操作キー入り、電磁ソレノイド非励磁、トラップドキー抜きの状態を示す作動説明図である。
【図２３】図２２のＬ−Ｌ線に沿う断面図である。
【図２４】本発明に係るキースイッチにおいて、操作キー入り、電磁ソレノイド非励磁、トラップドキー入りで回動状態を示す作動説明図である。
【図２５】図２４のＭ−Ｍ線に沿う断面図である。
【図２６】本発明に係るキースイッチにおいて、操作キー入り、電磁ソレノイド励磁、トラップドキー入りの状態を示す作動説明図である。
【図２７】図２６のＮ−Ｎ線に沿う断面図である。
【図２８】本発明に係るキースイッチにおいて、操作キー入り、電磁ソレノイド励磁、トラップドキー抜きの状態を示す作動説明図である。
【図２９】図２８のＯ−Ｏ線に沿う断面図である。
【図３０】本発明に係るキースイッチにおいて、操作キー抜き、電磁ソレノイド励磁、トラップドキー抜きの状態を示す作動説明図である。
【図３１】図３０のＰ−Ｐ線に沿う断面図である。
【図３２】レバータイプのスライド部材を用いたロック・アンロック作動手段の斜視図である。
【図３３】レバータイプのスライド部材の正面図である。
【図３４】図３３のＱ方向からの矢視図である。
【図３５】図３３のＲ方向からの矢視図である。
【図３６】メカニカルロック機構を有するキースイッチにおいて、操作キー入り、電磁ソレノイド非励磁でロックの状態を示す作動説明図である。
【図３７】図３６のＳ−Ｓ線に沿う断面図である。
【図３８】メカニカルロック機構を有するキースイッチにおいて、操作キー入り、電磁ソレノイド励磁でアンロックの状態を示す作動説明図である。
【図３９】図３８のＵ−Ｕ線に沿う断面図である。
【図４０】ソレノイドロック機構を有するキースイッチにおいて、操作キー入り、電磁ソレノイド非励磁でアンロックの状態を示す作動説明図である。
【図４１】図４０のＷ１−Ｗ１線に沿う断面図である。
【図４２】ソレノイドロック機構を有するキースイッチにおいて、操作キー入り、電磁ソレノイド励磁でロックの状態を示す作動説明図である。
【図４３】図４２のＷ２−Ｗ２線に沿う断面図である。
【図４４】操作キーの斜視図である。
【図４５】従来のキースイッチの斜視図である。
【図４６】従来のキースイッチにおいて、蓋体及びヘッドカバーを外した状態の正面図である。
【符号の説明】
【０１０２】
Ａ      キースイッチ
Ｂ      操作キー
Ｆ      ヘッドユニット（主スイッチ操作部）
Ｇ      ロック・アンロック作動手段
Ｔ      トラップドキー
１      スイッチケース
１Ａ    ケース本体
１Ｂ    蓋体
１Ｇ    支点ピン部（揺動支点）
２      ヘッドユニット装着部
３      ヘッドカバー
１０    カム体
１１    ベース部材
１２    ヘッドロック部材
４０    ヘッドプランジャ
４１    摺動ピン
４２    カム摺接部
４３    小径軸部
４３Ａ  段部
５０    電源回路開閉用スイッチ（主スイッチ）
５１    スイッチ操作体
５９    電磁ソレノイド（補助スイッチ駆動手段）
５８    ロック部材
５９Ａ  可動プランジャ
５９Ｂ  係合部
６０    連結ピース（連結部材）（連結手段）
６１    プランジャ係合溝部
６２    スイッチ操作体係合溝部
６３    突起部
６４    スライド部材
６４Ａ  ガイド用凹部
６５    スライド孔
６５ａ  横スライド部
６５ｂ  縦スライド部
６６    ピースロック挿入凹部
６７    ピン挿入孔部
６９    プランジャ挿入部
６９Ａ  プランジャ小径軸挿入部
６９Ｂ  プランジャ大径軸挿入部
７０    アーム部
７１    挿入ピン部
７３    ピースロック部材
７３Ａ  挿入部
７４    トラップドキー機構（移動操作手段）
９０    モニタスイッチ（補助スイッチ）
９１    スイッチ操作体
９１Ｂ  係合部
１００  スライド部材
１０１  レバー部
１０２  スライド部
１０３  スライド孔
１０４  ピン挿入孔部
１０５  支点ピン挿入孔部
【図１】
2006228616.tif 000003
【図２】
2006228616.tif 000004
【図３】
2006228616.tif 000005
【図４】
2006228616.tif 000006
【図５】
2006228616.tif 000007
【図６】
2006228616.tif 000008
【図７】
2006228616.tif 000009
【図８】
2006228616.tif 000010
【図９】
2006228616.tif 000011
【図１０】
2006228616.tif 000012
【図１１】
2006228616.tif 000013
【図１２】
2006228616.tif 000014
【図１３】
2006228616.tif 000015
【図１４】
2006228616.tif 000016
【図１５】
2006228616.tif 000017
【図１６】
2006228616.tif 000018
【図１７】
2006228616.tif 000019
【図１８】
2006228616.tif 000020
【図１９】
2006228616.tif 000021
【図２０】
2006228616.tif 000022
【図２１】
2006228616.tif 000023
【図２２】
2006228616.tif 000024
【図２３】
2006228616.tif 000025
【図２４】
2006228616.tif 000026
【図２５】
2006228616.tif 000027
【図２６】
2006228616.tif 000028
【図２７】
2006228616.tif 000029
【図２８】
2006228616.tif 000030
【図２９】
2006228616.tif 000031
【図３０】
2006228616.tif 000032
【図３１】
2006228616.tif 000033
【図３２】
2006228616.tif 000034
【図３３】
2006228616.tif 000035
【図３４】
2006228616.tif 000036
【図３５】
2006228616.tif 000037
【図３６】
2006228616.tif 000038
【図３７】
2006228616.tif 000039
【図３８】
2006228616.tif 000040
【図３９】
2006228616.tif 000041
【図４０】
2006228616.tif 000042
【図４１】
2006228616.tif 000043
【図４２】
2006228616.tif 000044
【図４３】
2006228616.tif 000045
【図４４】
2006228616.tif 000046
【図４５】
2006228616.tif 000047
【図４６】
2006228616.tif 000048